(57)【要約】【課題】吸音性能及び冷暖房性能が向上する放射パネル、及びパーティションを提供すること。【解決手段】放射パネル３は、居住空間Ｅ１に対して対向配置された表面材１０と、表面材１０を挟む２つの空間のうち居住空間Ｅ１と反対側の空間に配置されており、表面材１０との間に内包空間Ｅ３を形成する裏面材２０と、内包空間Ｅ３に配置されており、加熱又は冷却を行う冷温水管４０と、を備え、表面材１０が、裏面材２０よりも高い熱伝導率を有する繊維で形成されている。【選択図】図３
2018151146.tif 000002
【特許請求の範囲】
【請求項１】
居住空間に対して対向配置された表面材と、
前記表面材を挟む２つの空間のうち前記居住空間と反対側の空間に配置されており、前記表面材との間に内包空間を形成する裏面材と、
前記内包空間に配置されており、加熱又は冷却を行う温度調整手段と、を備え、
前記表面材が、前記裏面材よりも高い熱伝導率を有する繊維で形成されている、
放射パネル。
【請求項２】
前記表面材は、超高分子量ポリエチレン繊維である、
請求項１に記載の放射パネル。
【請求項３】
前記温度調整手段は、加熱又は冷却を行う冷温水管を備える、
請求項１又は２に記載の放射パネル。
【請求項４】
前記温度調整手段は、加熱を行う電熱線を備える、
請求項１から３のいずれか一項に記載の放射パネル。
【請求項５】
前記内包空間に、空気層、吸音材、又は断熱材を備える、
請求項１から４のいずれか一項に記載の放射パネル。
【請求項６】
当該放射パネルを自立可能に支持する支持部を備える、
請求項１から５のいずれか一項に記載の放射パネル。
【請求項７】
請求項６に記載の放射パネルを備える、
パーティション。
【発明の詳細な説明】
【技術分野】
【０００１】
本発明は、放射パネル、及びパーティション関する。
【背景技術】
【０００２】
従来、縦型の放射冷暖房システムが提案されている（例えば、特許文献１参照）。このような放射冷暖房システムでは、上下方向に沿って配置されるパネルにより熱源（例えば、冷房用蓄熱材や暖房用蓄熱材）を挟み込み、熱源からの熱がパネルを介して居住空間に対して放射されることで、居住空間を加熱または冷却するものである。このようなパネルは、表面を均一に加熱又は冷却するために熱伝導率の高い素材で形成されることが好ましく、例えば通常は金属で形成されている。
【先行技術文献】
【特許文献】
【０００３】
【特許文献１】特開２００５−３１５４６２号公報
【発明の概要】
【発明が解決しようとする課題】
【０００４】
しかし、上記のような金属のパネルは音を反射してしまい吸音性能が低く、騒音遮断が望まれるブースなどに用いることは好ましくなかった。よって、金属に代えて吸音性能の高い繊維などで上記のパネルを構築することも考えられる。しかし、繊維は逆に熱伝導性が低く表面を均一に加熱又は冷却することが困難であり、冷暖房性能が低下してしまう。そのため、吸音性能及び冷暖房性能が向上する、放射冷暖房システムの如き放射パネル、及びパーティションが要望されていた。
【０００５】
本発明は、上記に鑑みてなされたものであって、吸音性能及び冷暖房性能が向上する放射パネル、及びパーティションを提供することを目的とする。
【課題を解決するための手段】
【０００６】
上述した課題を解決し、目的を達成するために、請求項１に記載の放射パネルは、居住空間に対して対向配置された表面材と、前記表面材を挟む２つの空間のうち前記居住空間と反対側の空間に配置されており、前記表面材との間に内包空間を形成する裏面材と、前記内包空間に配置されており、加熱又は冷却を行う温度調整手段と、を備え、前記表面材が、前記裏面材よりも高い熱伝導率を有する繊維で形成されている。
【０００７】
請求項２に記載の放射パネルは、請求項１に記載の放射パネルにおいて、前記表面材は、超高分子量ポリエチレン繊維である。
【０００８】
請求項３に記載の放射パネルは、請求項１又は２に記載の放射パネルにおいて、前記温度調整手段は、加熱又は冷却を行う冷温水管を備える。
【０００９】
請求項４に記載の放射パネルは、請求項１から３のいずれか一項に記載の放射パネルにおいて、前記温度調整手段は、加熱を行う電熱線を備える。
【００１０】
請求項５に記載の放射パネルは、請求項１から４のいずれか一項に記載の放射パネルにおいて、前記内包空間に、空気層、吸音材、又は断熱材を備える。
【００１１】
請求項６に記載の放射パネルは、請求項１から５のいずれか一項に記載の放射パネルにおいて、当該放射パネルを自立可能に支持する支持部を備える。
【００１２】
請求項７に記載のパーティションは、請求項６に記載の放射パネルを備える。
【発明の効果】
【００１３】
請求項１に記載の放射パネルによれば、表面材は、裏面材よりも高い熱伝導率を有する繊維で形成されるため、繊維表面の細かい凹凸により音の反射を抑制できると共に、表面材が高い熱伝導率を有するため表面材に対して均一に熱を伝達でき、吸音性能及び冷暖房性能が向上する。
【００１４】
請求項２に記載の放射パネルによれば、表面材は超高分子量ポリエチレン繊維であるため、表面材を極めて熱伝導率高い繊維で構成することができ、表面材に対してさらに均一に熱を伝達でき、冷暖房性能がさらに向上する。
【００１５】
請求項３に記載の放射パネルによれば、温度調整手段は冷温水管であるため、簡素な構成で温度調整手段を構築でき、施工コストを削減できると共に、冷温水管の内部を流動する水の温度を調整することで容易に冷房及び暖房を切り替えることが可能であり、放射パネルの利便性が向上する。
【００１６】
請求項４に記載の放射パネルによれば、温度調整手段は電熱線であるため、簡素な構成で温度調整手段を構築でき、施工コストを削減できると共に、電熱線の出力を調整することで容易に加熱温度を調整でき、放射パネルの利便性が向上する。
【００１７】
請求項５に記載の放射パネルによれば、内包空間に、空気層、吸音材、又は断熱材を備えるので、これらの空気層、吸音材、断熱材により内包空間での音や熱の伝達を抑制することができ、吸音性能及び冷暖房性能がさらに向上する。
【００１８】
請求項６に記載の放射パネルによれば、放射パネルを自立可能に支持する支持部を備えるので、放射パネルを自立させることができ、放射パネルを何らかの部材に吊り下げたり貼り付けたりせずに配置できるため、設置場所の自由度が向上する。
【００１９】
請求項７に記載のパーティションによれば、放射パネルを備えるパーティションであるため、吸音性能及び冷暖房性能の高いパーティションを構築でき、パーティションにより区画された空間の快適性が向上する。
【図面の簡単な説明】
【００２０】
【図１】本発明の実施の形態に係る放射パネルを用いたパーティションの側面図である。
【図２】パーティションの平面図である。
【図３】図１のＡ−Ａ矢視断面図である。
【図４】変形例に係る放射パネルを示す図１のＡ−Ａ矢視断面に対応する断面図である。
【発明を実施するための形態】
【００２１】
以下に添付図面を参照して、この発明に係る放射パネル及びパーティションの実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２２】
〔Ｉ〕実施の形態の基本的概念
まず、実施の形態の基本的概念について説明する。実施の形態は、放射パネルに関する。「放射パネル」とは、熱放射により居住空間の冷暖房を行うパネルである。この放射パネルは、居住空間の冷暖房を行うための任意の用途で使用できる。例えば、本実施の形態の放射パネルは、打合せブースを形成するパーティションに用いられる。ただし、これに限らず、放射パネルを椅子やテーブル等にも用いてもよい。「居住空間」とは、人が存在し得る空間であって、例えば本実施の形態の居住空間とは、パーティションに囲われた内部空間である。なお、以下では居住空間以外の空間を「外部空間」と称する。「冷暖房」とは、居住空間の温度を調整することであり、居住空間の温度を下降させること、温度を上昇させること、又は温度の下降若しくは上昇を選択的に行うことを含む。
【００２３】
さらに本実施の形態の放射パネルは吸音性能を備える。「吸音」とは、音の反射を抑制して減衰させることであり、例えば居住空間側から外部空間への音漏れを防止したり、外部空間から居住空間へと騒音の伝達を防止することである。
【００２４】
また、放射パネルの形状は任意で、例えばパーティションに用いる場合には、入口部分を除いて居住空間の四方（前後左右）を覆う形状でもよいし、これに加えて天井や床にも放射パネルを設置してもよい。また、椅子に放射パネルを用いる場合には、椅子の背もたれや座面に合わせた形状でもよい。
【００２５】
〔ＩＩ〕実施の形態の具体的内容
次に、実施の形態の具体的内容について説明する。
【００２６】
（構成）
図１は、本実施の形態に係る放射パネル３を用いたパーティション１の側面図、図２はパーティション１の平面図、図３は、図１のＡ−Ａ矢視断面図である。これらの図１、図２、及び図３に示すように、パーティション１は、脚部２、放射パネル３、及び支持部４を備えている。なお、居住空間Ｅ１には図示のように例示的に椅子と机を配置しているが、これに限らず、他のものを設置してもよいし、何も設置しなくてもよい。ここで、以下では、必要に応じて、図１、図３、及び後述する図４における＋Ｘ−Ｘ方向を「幅方向」と称し、特に＋Ｘ方向を「右方向」、−Ｘ方向を「左方向」と称する。また、＋Ｙ−Ｙ方向を「奥行き方向」又は「前後方向」と称し、特に＋Ｙ方向を「前方向」、−Ｙ方向を「後方向」と称する。また、＋Ｚ−Ｚ方向を「高さ方向」又は「上下方向」と称し、特に＋Ｚ方向を「上方向」、−Ｚ方向を「下方向」と称する。また、放射パネル３の軸心を通る鉛直平面（図３ではＸＺ平面。以下、「軸断面」５）に対して、奥行き方向（＋Ｙ−Ｙ）に沿って近付く方向を「内方向」、奥行き方向（＋Ｙ−Ｙ）に沿って遠ざかる方向を「外方向」と称する。
【００２７】
ここで、本実施の形態のパーティション１は、図示のように床の上に自立している。そして、図２に示すように、平面視において居住空間Ｅ１の三方向を覆っており、一方は覆わずに開放しており（すなわち、平面視において略コ字状である）、この開放部から内部空間に出入り可能となっている。また、パーティション１は高さ１８００ｍｍ程度のローパーティションである場合について説明するが、高さはこれに限らず、例えば部屋の壁一面に放射パネル３を設けた構成としてもよい。
【００２８】
（構成−脚部）
脚部２は、放射パネル３を支える支持手段である。例えば放射パネル３の下方に間隔を設けて複数配置されており、上下方向に沿って延設されたパイプを用いることができる。このように脚部２を設けることで、パーティション１の下方に空間を設けて開放的にすることができる。ただし、この脚部２を省略して、パーティション１を床に直接載置しても構わない。
【００２９】
（構成−放射パネル）
放射パネル３は、熱放射により居住空間Ｅ１の冷暖房を行うと共に、居住空間Ｅ１の吸音を行うパネルである。ここで、図３に示すように本実施の形態の放射パネル３は、支持部４の後方（−Ｙ側）に取り付けられており、当該支持部４を挟んで反対側（支持部４の前方）にはカバーパネル３ａが取付られている。
【００３０】
放射パネル３は、主に、後述する冷温水管４０により居住空間Ｅ１を冷暖房するためのパネルである。一方、カバーパネル３ａは、後述する冷温水管４０は設けられておらず、支持部４が外部空間Ｅ２に露出しないように、かつパネルを二重にすることで断熱性能や吸音性能を高めるために設けられている。なお、冷温水管４０が設けられていない点を除いて、カバーパネル３ａと放射パネル３は略同様に構成されているため、以下では放射パネル３のみについて説明し、カバーパネル３ａについては説明を省略し、放射パネル３と異なる点についてのみ、その都度説明する。ただし、カバーパネル３ａを省略しても構わない。
【００３１】
ここで、この放射パネル３は、概略的に、表面材１０、裏面材２０、吸音材３０、冷温水管４０を備える。なお、上述したように、冷温水管４０は放射パネル３のみに設けられており、カバーパネル３ａには設けられていない。
【００３２】
（構成−放射パネル−表面材）
表面材１０は、居住空間Ｅ１に対して対向配置された部材である。この表面材１０は、図示のように放射パネル３における最も後方（−Ｙ方向）に、鉛直面に沿って配置されている。この表面材１０の形状は任意であるが、本実施の形態では、図３に示すような水平断面視において、放射パネル３の軸断面５（ＸＺ平面）から外側に突出する部分（凸部）と突出していない部分（凹部）とを幅方向（＋Ｘ−Ｘ方向）に沿って連続的に繰り返す形状である。なお、裏面材２０は、軸断面５を基準として表面材１０と対称的な形状であり、表面材１０と裏面材２０は互いに向かい合わせて接合されているため、放射パネル３全体としては凸部の肉厚が大きく、凹部の肉厚が小さくなっている。ただし、表面材１０の形状はこれに限らず、例えば凸部や凹部の無いフラットな形状でも構わない。また、表面材１０と裏面材２０とは、凹部で互いに接触しており、この位置で相互に縫合されていてもよい。
【００３３】
ここで、表面材１０の内側の面は、鉛直方向に沿って配置された冷温水管４０に接している。そのため、冷温水管４０を通る熱媒体（以下では、「水」とする）の熱が表面材１０に伝達し、表面材１０を加熱又は冷却することができる。なお、本実施の形態ではこのように、冷温水管４０は表面材１０に直接的に接しているが、冷温水管４０の熱が表面材１０に伝達される限り、任意の部材（例えば、吸音材３０）を介して間接的に表面材１０に接していても構わない。
【００３４】
また、表面材１０は、裏面材２０よりも高い熱伝導率を有する繊維で形成されている。なお、表面材１０の熱伝導率は高い程好ましく、例えば、本実施の形態の表面材１０は超高分子量ポリエチレン繊維である。このような超高分子量ポリエチレン繊維は、裏面材２０に使用される一般的な繊維（例えば綿やポリエチレン等）に比べて熱伝導率が非常に高く、冷温水管４０の熱を表面材１０に均等に広げることができる。また、超高分子量ポリエチレン繊維は、金属と異なり繊維であるため吸音性能が高く、音の反射を抑止でき居住空間Ｅ１から外部空間Ｅ２への音漏れを防止できる。なお、表面材１０は、裏面材２０よりも高い熱伝導率の繊維である限り任意の繊維を用いてよく、例えばポリパラフェニレンベンズオキサゾール繊維などでもよい。
【００３５】
また、カバーパネル３ａの表面材１０は、冷温水管４０と接していないので高い熱伝導率を有する必要はなく、カバーパネル３ａの裏面材２０と同一の熱伝導率を有する素材で構わない。例えば本実施の形態では、カバーパネル３ａは、表面材１０も裏面材２０も一般的な繊維（例えば綿やポリエチレン等）で形成されている。
【００３６】
（構成−放射パネル−裏面材）
裏面材２０は、表面材１０を挟む２つの空間のうち居住空間Ｅ１と反対側の空間に配置されており、表面材１０との間に内包空間Ｅ３を形成する部材である。この裏面材２０は、図３に示すような水平断面視において、放射パネル３の軸断面５（ＸＺ平面）から外側に突出する部分（凸部）と突出していない部分（凹部）とを幅方向に沿って連続的に繰り返す形状である。ただし、表面材１０と同様に、形状はこれに限らず、例えば凸部や凹部の無いフラットな形状でも構わない。
【００３７】
ここで、裏面材２０の素材は任意であり、例えば、本実施の形態の裏面材２０は、一般的な繊維（綿やポリエチレンなど）で形成される。なお、裏面材２０は熱伝導率の低い素材である方が好ましく、これは、冷温水管４０の熱を前方（＋Ｙ方向）に逃がさず、居住空間Ｅ１側（−Ｙ方向）に効率的に熱を放射できるためである。
【００３８】
（構成−放射パネル−吸音材）
吸音材３０は、内包空間Ｅ３に充填された吸音手段である。この吸音材３０は、冷温水管４０が延設されている箇所を除いて、内包空間Ｅ３の全体にわたって充填されており、居住空間Ｅ１と外部空間Ｅ２との相互間での音の伝達を抑止する。なお、この吸音材３０は、冷温水管４０の熱を効率的に表面材１０に伝達するために、熱伝導性の低い材料で構成することが好ましく、例えばグラスウールやフェルトなどの柔らかい素材を使用できるが、これに限らない。
【００３９】
（構成−放射パネル−冷温水管）
冷温水管４０は、内包空間Ｅ３に配置されており、加熱又は冷却を行う温度調整手段である。この冷温水管４０は、図示のように内包空間Ｅ３における各凸部に対応する位置に、表面材１０と接するように鉛直方向に沿って配置されている。なお、図３では複数（３つ）の冷温水管４０を示しているが、これらの冷温水管４０は上端や下端で隣の冷温水管４０と互いに繋がっており、全体として連続的な１つの冷温水管４０となっており、放射パネル３の内部を循環している。
【００４０】
ここで、この冷温水管４０は、パーティション１の外部に設置された図示しないポンプ及び熱交換器（例えば、公知の加熱器や冷却器）に対して、図示しない往路管及び復路管を介して接続されている。そして、熱交換器で温度調整された水は、ポンプにより送り出されて往路管を通って冷温水管４０に至り、放射パネル３の内部を循環した後に、復路管を通ってまた熱交換器の位置まで戻るように循環している。なお、水の温度や流量は、適宜調節できることが好ましい。例えば、ユーザがリモコン等を用いて調節してもよいし、室内に設置した温度計で得た測定データに基づいて自動的に適当な温度や流量に調節しても構わない。
【００４１】
また、本実施の形態では、ポンプや熱交換器を床下に設置し、放射パネル３の冷温水管４０に接続された往路管や復路管をカプラで熱交換器に接続することにより、放射パネル３の稼働準備が完了する。ただし、これに限らず、ポンプや熱交換器自体を放射パネル３に設けてもよい。
【００４２】
（構成−支持部）
支持部４は、放射パネル３を自立可能に支持する支持手段である。この支持部４は、カバーパネル３ａと放射パネル３の間に、幅方向に沿って所定の間隔で並設されており、各支持部４の下端部は脚部２に接続されている。ただし、支持部４と脚部２とを一体形成してもよい。ここで、支持部４の数や形状は、放射パネル３及びカバーパネル３ａを自立可能とする限り任意であり、例えば本実施の形態では、表面材１０や裏面材２０の各凹部に対応する位置に設置された円柱形状の金属製のポールであるが、これに限らず、例えば放射パネル３及びカバーパネル３ａの側端部のみに支持部４を設けても構わないし、例えば角柱形状でもよい。また、本実施の形態の支持部４は鉛直方向に沿って配置されているが、これに限らず、例えば放射パネル３及びカバーパネル３ａの上端部や下端部等に、水平方向に沿った支持部４を設けてもよいし、放射パネル３及びカバーパネル３ａ自体を湾曲形状とする場合には、この形状に合わせた湾曲形状の支持部４を設けても構わない。
【００４３】
そして、この支持部４に放射パネル３及びカバーパネル３ａが取り付けられている。この取付の具体的な方法は任意であるが、例えば、カバーパネル３ａの表面材１０や放射パネル３の裏面材２０を、糸等を用いて支持部４に括り付けてもよい。
【００４４】
（実施の形態の効果）
このように、本実施の形態の放射パネル３によれば、表面材１０は、裏面材２０よりも高い熱伝導率を有する繊維で形成されるため、繊維表面の細かい凹凸により音の反射を抑制できると共に、表面材１０が高い熱伝導率を有するため表面材１０に対して均一に熱を伝達でき、吸音性能及び冷暖房性能が向上する。
【００４５】
また、表面材１０は超高分子量ポリエチレン繊維であるため、表面材１０を極めて熱伝導率高い繊維で構成することができ、表面材１０に対してさらに均一に熱を伝達でき、冷暖房性能がさらに向上する。
【００４６】
また、温度調整手段は冷温水管４０であるため、簡素な構成で温度調整手段を構築でき、施工コストを削減できると共に、冷温水管４０の内部を流動する水の温度を調整することで容易に冷房及び暖房を切り替えることが可能であり、放射パネル３の利便性が向上する。
【００４７】
また、内包空間Ｅ３に、吸音材３０を備えるので、この吸音材３０により内包空間Ｅ３での音や熱の伝達を抑制することができ、吸音性能及び冷暖房性能がさらに向上する。
【００４８】
また、放射パネル３を自立可能に支持する支持部４を備えるので、放射パネル３を自立させることができ、放射パネル３を何らかの部材に吊り下げたり貼り付けたりせずに配置できるため、設置場所の自由度が向上する。
【００４９】
また、放射パネル３を備えるパーティション１であるため、吸音性能及び冷暖房性能の高いパーティション１を構築でき、パーティション１により区画された空間の快適性が向上する。
【００５０】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５１】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００５２】
（寸法や材料について）
発明の詳細な説明や図面で説明した放射パネル３の各部の寸法、形状、材料、比率等は、あくまで例示であり、その他の任意の寸法、形状、材料、比率等とすることができる。
【００５３】
（温度調整手段について）
本実施の形態では、温度調整手段として冷温水管４０を設けたが、これに限らない。例えば、温度調整手段として、加熱を行う電熱線を設けてもよい。この電熱線は、例えば冷温水管４０と同様に、内包空間Ｅ３の内部に、表面材１０に接するように鉛直方向に沿って配置されてもよい。そして電熱線に電気を通して加熱することで、電熱線の熱が表面材１０に伝達して表面材１０を均等に温め、放射熱により居住空間Ｅ１の暖房を行うことができる。なお、電熱線と冷温水管４０の両方を設けても構わない。
【００５４】
このような変形例では、温度調整手段は電熱線であるため、簡素な構成で温度調整手段を構築でき、施工コストを削減できると共に、電熱線の出力を調整することで容易に加熱温度を調整でき、放射パネル３の利便性が向上する。
【００５５】
（放射パネルの相互間空間について）
本実施の形態では、カバーパネル３ａと放射パネル３との間に空間（支持部４が配置されている空間）を設けているが、この空間に吸音材３０や断熱材を充填してもよく、このことでさらに吸音性能や断熱性能が向上する。
【００５６】
（支持部について）
本実施の形態では、カバーパネル３ａと放射パネル３との相互間の空間に支持部４を設置したが、これに限らず、表面材１０と裏面材２０との間の内包空間Ｅ３に支持部４を設置してもよい。図４は、変形例に係る放射パネル５０を示す図１のＡ−Ａ矢視断面に対応する断面図である。なお、図４では、表面材６０と裏面材７０を凸部や凹部の無いフラットな形状に図示している。この図４に示すように、内包空間Ｅ３に支持部４を配置し、支持部４の前後に表面材６０と裏面材７０を設置してもよい。
【００５７】
また、本実施の形態では、支持部４により放射パネル３を下方から支持したが、これに限らず、例えば支持部４を省略した放射パネル３を壁等に貼り付けて配置してもよいし、天井等から吊り下げて配置してもよい。
【００５８】
（内包空間について）
本実施の形態では、表面材１０と裏面材２０との間の内包空間Ｅ３に吸音材３０を充填したが、これに限らない。例えば、内包空間Ｅ３が存在しないように、表面材１０と裏面材２０の両方を冷温水管４０に密着させても構わない。また、内包空間Ｅ３に何も充填せず空気層としてもよいし、内包空間Ｅ３に断熱材を充填してもよい。このように空気層や断熱材を設けることで、内包空間Ｅ３での音や熱の伝達を抑制することができ、吸音性能及び冷暖房性能がさらに向上する。
【００５９】
（付記）
付記１の放射パネルは、居住空間に対して対向配置された表面材と、前記表面材を挟む２つの空間のうち前記居住空間と反対側の空間に配置されており、前記表面材との間に内包空間を形成する裏面材と、前記内包空間に配置されており、加熱又は冷却を行う温度調整手段と、を備え、前記表面材が、前記裏面材よりも高い熱伝導率を有する繊維で形成されている。
【００６０】
付記２の放射パネルは、付記１に記載の放射パネルにおいて、前記表面材は、超高分子量ポリエチレン繊維である。
【００６１】
付記３の放射パネルは、付記１又は２に記載の放射パネルにおいて、前記温度調整手段は、加熱又は冷却を行う冷温水管を備える。
【００６２】
付記４の放射パネルは、付記１から３のいずれか一項に記載の放射パネルにおいて、前記温度調整手段は、加熱を行う電熱線を備える。
【００６３】
付記５の放射パネルは、付記１から４のいずれか一項に記載の放射パネルにおいて、前記内包空間に、空気層、吸音材、又は断熱材を備える。
【００６４】
付記６の放射パネルは、付記１から５のいずれか一項に記載の放射パネルにおいて、当該放射パネルを自立可能に支持する支持部を備える。
【００６５】
付記７のパーティションは、付記６に記載の放射パネルを備える。
【００６６】
（付記の効果）
付記１に記載の放射パネルによれば、表面材は、裏面材よりも高い熱伝導率を有する繊維で形成されるため、繊維表面の細かい凹凸により音の反射を抑制できると共に、表面材が高い熱伝導率を有するため表面材に対して均一に熱を伝達でき、吸音性能及び冷暖房性能が向上する。
【００６７】
付記２に記載の放射パネルによれば、表面材は超高分子量ポリエチレン繊維であるため、表面材を極めて熱伝導率高い繊維で構成することができ、表面材に対してさらに均一に熱を伝達でき、冷暖房性能がさらに向上する。
【００６８】
付記３に記載の放射パネルによれば、温度調整手段は冷温水管であるため、簡素な構成で温度調整手段を構築でき、施工コストを削減できると共に、冷温水管の内部を流動する水の温度を調整することで容易に冷房及び暖房を切り替えることが可能であり、放射パネルの利便性が向上する。
【００６９】
付記４に記載の放射パネルによれば、温度調整手段は電熱線であるため、簡素な構成で温度調整手段を構築でき、施工コストを削減できると共に、電熱線の出力を調整することで容易に加熱温度を調整でき、放射パネルの利便性が向上する。
【００７０】
付記５に記載の放射パネルによれば、内包空間に、空気層、吸音材、又は断熱材を備えるので、これらの空気層、吸音材、断熱材により内包空間での音や熱の伝達を抑制することができ、吸音性能及び冷暖房性能がさらに向上する。
【００７１】
付記６に記載の放射パネルによれば、放射パネルを自立可能に支持する支持部を備えるので、放射パネルを自立させることができ、放射パネルを何らかの部材に吊り下げたり貼り付けたりせずに配置できるため、設置場所の自由度が向上する。
【００７２】
付記７に記載のパーティションによれば、放射パネルを備えるパーティションであるため、吸音性能及び冷暖房性能の高いパーティションを構築でき、パーティションにより区画された空間の快適性が向上する。
【符号の説明】
【００７３】
１  パーティション
２  脚部
３  放射パネル
３ａ  カバーパネル
４  支持部
５  軸断面
１０  表面材
２０  裏面材
３０  吸音材
４０  冷温水管
５０  放射パネル
６０  表面材
７０  裏面材
Ｅ１  居住空間
Ｅ２  外部空間
Ｅ３  内包空間
【図１】
2018151146.tif 000003
【図２】
2018151146.tif 000004
【図３】
2018151146.tif 000005
【図４】
2018151146.tif 000006